【手続補正書】
【提出日】平成23年1月24日(2011.1.24)
【手続補正１】
【補正対象書類名】特許請求の範囲
【補正対象項目名】全文
【補正方法】変更
【補正の内容】
【特許請求の範囲】
【請求項１】
無線通信システムにおいて端末によってデータを受信する方法であって、該方法は、
該端末によって、ＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）を介して、共通Ｈ−ＲＮＴＩ（ＨＳ−ＤＳＣＨ  Ｒａｄｉｏ  Ｎｅｔｗｏｒｋ  Ｔｅｍｐｏｒａｒｙ  Ｉｄｅｎｔｉｆｉｅｒ）を受信することと、
該端末によって、ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を介して、第１のヘッダとＭＡＣ  ＳＤＵ（サービスデータ単位）とを含むＭＡＣ（Ｍｅｄｉｕｍ  Ａｃｃｅｓｓ  Ｃｏｎｔｒｏｌ）ＰＤＣ（Ｐａｃｋｅｔ  Ｄａｔａ  Ｕｎｉｔ）を受信することと、
該端末が該第１のヘッダ内に含まれるＵ−ＲＮＴＩ（ＵＴＲＡＮ  Ｒａｄｉｏ  Ｎｅｔｗｏｒｋ  Ｔｅｍｐｏｒａｒｙ  Ｉｄｅｎｔｉｆｉｅｒ）によって示される場合には、該ＭＡＣ  ＳＤＵを上位層に送信することと
を含む、方法。
【請求項２】
前記第１のヘッダは、ＭＡＣ−ｃヘッダである、請求項１に記載の方法。
【請求項３】
前記ＭＡＣ  ＰＤＵは第２のヘッダを備えている、請求項１に記載の方法。
【請求項４】
前記第２のヘッダは、ＭＡＣ−ｈｓヘッダである、請求項３に記載の方法。
【請求項５】
前記ＭＡＣ  ＰＤＵは、前記第２のヘッダ、前記第１のヘッダおよび前記ＭＡＣ  ＳＤＵの順序で編成されている、請求項３に記載の方法。
【請求項６】
無線通信システム内の端末であって、
ＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）を介して、共通Ｈ−ＲＮＴＩ（ＨＳ−ＤＳＣＨ  Ｒａｄｉｏ  Ｎｅｔｗｏｒｋ  Ｔｅｍｐｏｒａｒｙ  Ｉｄｅｎｔｉｆｉｅｒ）を受信し、ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を介して、第１のヘッダとＭＡＣ  ＳＤＵ（サービスデータ単位）とを含むＭＡＣ（Ｍｅｄｉｕｍ  Ａｃｃｅｓｓ  Ｃｏｎｔｒｏｌ）ＰＤＣ（Ｐａｃｋｅｔ  Ｄａｔａ  Ｕｎｉｔ）を受信する受信ユニットと、
該端末が該第１のヘッダ内に含まれるＵ−ＲＮＴＩ（ＵＴＲＡＮ  Ｒａｄｉｏ  Ｎｅｔｗｏｒｋ  Ｔｅｍｐｏｒａｒｙ  Ｉｄｅｎｔｉｆｉｅｒ）によって示される場合には、該ＭＡＣ  ＳＤＵを上位層に送信する処理ユニットと
を備えている、端末。
【請求項７】
前記第１のヘッダは、ＭＡＣ−ｃヘッダである、請求項６に記載の端末。
【請求項８】
前記ＭＡＣ  ＰＤＵは第２のヘッダを備えている、請求項６に記載の端末。
【請求項９】
前記第２のヘッダは、ＭＡＣ−ｈｓヘッダである、請求項８に記載の端末。
【請求項１０】
前記ＭＡＣ  ＰＤＵは、前記第２のヘッダ、前記第１のヘッダおよび前記ＭＡＣ  ＳＤＵの順序で編成されている、請求項８に記載の端末。
【請求項１１】
無線通信システムにおいて端末にデータを送信する方法であって、該方法は、
ＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）を介して、共通Ｈ−ＲＮＴＩ（ＨＳ−ＤＳＣＨ  Ｒａｄｉｏ  Ｎｅｔｗｏｒｋ  Ｔｅｍｐｏｒａｒｙ  Ｉｄｅｎｔｉｆｉｅｒ）を該端末に送信することと、
第１のヘッダとＭＡＣ  ＳＤＵ（サービスデータ単位）とを含むＭＡＣ（Ｍｅｄｉｕｍ  Ａｃｃｅｓｓ  Ｃｏｎｔｒｏｌ）ＰＤＣ（Ｐａｃｋｅｔ  Ｄａｔａ  Ｕｎｉｔ）を生成することと、
ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を介して、該生成されたＭＡＣ  ＰＤＵを、該端末に送信することと、
を含み、該第１のヘッダは、該端末を示すためのＵ−ＲＮＴＩ（ＵＴＲＡＮ  Ｒａｄｉｏ  Ｎｅｔｗｏｒｋ  Ｔｅｍｐｏｒａｒｙ  Ｉｄｅｎｔｉｆｉｅｒ）を備えている、方法。
【請求項１２】
前記第１のヘッダは、ＭＡＣ−ｃヘッダである、請求項１１に記載の方法。
【請求項１３】
前記ＭＡＣ  ＰＤＵは第２のヘッダを備えている、請求項１１に記載の方法。
【請求項１４】
前記第２のヘッダは、ＭＡＣ−ｈｓヘッダである、請求項１３に記載の方法。
【請求項１５】
前記ＭＡＣ  ＰＤＵは、前記第２のヘッダ、前記第１のヘッダおよび前記ＭＡＣ  ＳＤＵの順序で編成するように生成される、請求項１３に記載の方法。
【手続補正２】
【補正対象書類名】明細書
【補正対象項目名】００３０
【補正方法】変更
【補正の内容】
【００３０】
本発明によると、移動端末は、ＨＳ−ＤＳＣＨに関連するＨＳ−ＳＣＣＨで特定共通Ｈ−ＲＮＴＩを受信し、前記ＨＳ−ＤＳＣＨにより送信されるＭＡＣＰＤＵのヘッダに端末専用識別子が含まれているか否かを把握し、前記端末専用識別子を取得する。前記端末専用識別子が前記移動端末に対するものである場合、前記移動端末は、前記ＭＡＣＰＤＵを前記移動端末のものとして処理し、共通Ｈ−ＲＮＴＩが示される場合も、特定端末がＨＳ−ＤＳＣＨを受信することができる。
例えば、本発明は以下の項目を提供する。
（項目１）
無線通信における無線ネットワークと端末間のダウンリンクデータ送信方法において、
（Ａ）共有データチャネルに関連する制御チャネルで端末が共通識別子を受信する段階と、
（Ｂ）上記共有データチャネルが送信するＭＡＣ（Medium Access Control） ＰＤＵ（Packet Data Unit）のヘッダに端末専用識別子が含まれているか否かを確認する段階と、
（Ｃ）上記ＭＡＣ ＰＤＵのヘッダに端末専用識別子が含まれている場合、上記端末専用
識別子を取得し、上記取得した端末専用識別子と上記端末の保存している端末専用識別子とが一致するか否かを確認する段階と、
（Ｄ）上記端末専用識別子が一致した場合、上記ＭＡＣ ＰＤＵを処理する段階と
を含むことを特徴とする方法。
（項目２）
上記共有データチャネルは、ＨＳ−ＤＳＣＨ（High Speed Dedicated Shared Channel）
であり、上記制御チャネルは、ＨＳ−ＳＣＣＨ（HightSpeed Shared Control Channel）
であることを特徴とする項目１に記載の方法。
（項目３）
上記共通識別子は、Ｈ−ＲＮＴＩ（HS-DSCH Radio Network Temporary Identifier）であることを特徴とする項目１に記載の方法。
（項目４）
上記ＭＡＣ ＰＤＵのヘッダに含まれている端末専用識別子は、
ＵＴＲＡＮ（UMTSTerrestrial Radio Access Network）内の特定端末を示すＵ−ＲＮＴＩ（UTRAN Radio NetworkTemporaryIdentifier）であることを特徴とする項目１に記載
の方法。
（項目５）
上記段階（Ｄ）で、
上記端末専用識別子が一致しない場合、上記ＭＡＣ ＰＤＵを廃棄することを特徴とする
項目１に記載の方法。
（項目６）
無線ネットワークにおいて共有データチャネルに関連する制御チャネルで特定共通識別子を受信する受信部と、
上記共有データチャネルが送信するＭＡＣ ＰＤＵのヘッダに端末専用識別子が含まれているか否かを確認し、上記ヘッダに上記識別子が含まれている場合は上記ＭＡＣＰＤＵのヘッダから端末専用識別子を取得し、上記取得した端末専用識別子と上記端末に保存されている端末専用識別子とを比較して一致しているか否かを判断し、上記端末専用識別子が一致する場合は上記ＭＡＣＰＤＵ（該当ＭＡＣＳＤＵ）を上位のＭＡＣ層に送信する処理部と
を含むことを特徴とする端末。
（項目７）
上記処理部は、
上記取得した端末専用識別子が上記端末に保存されている上記端末専用識別子と一致しない場合、上記受信したＭＡＣＰＤＵを廃棄するように処理することを特徴とする項目６に記載の端末。
（項目８）
上記処理部は、
上記制御チャネルが示す共有データチャネルの送信のために使用されるＭＡＣＰＤＵのフォーマットを決定し、上記決定されたＭＡＣ ＰＤＵフォーマットに応じて上記受信した
ＭＡＣ ＰＤＵを分解することを特徴とする項目６に記載の端末。
（項目９）
上記共有データチャネルは、ＨＳ−ＤＳＣＨ（High Speed Dedicated Shared Channel）であり、上記制御チャネルは、ＨＳ−ＳＣＣＨ（HightSpeedShared Control Channel）
であることを特徴とする項目６に記載の端末。
（項目１０）
上記ＭＡＣ ＰＤＵのヘッダに含まれている端末専用識別子は、
ＵＴＲＡＮ内の特定端末を示すＵ−ＲＮＴＩ（UTRAN Radio Network Temporary Identifier）であることを特徴とする項目６に記載の端末。
【手続補正３】
【補正対象書類名】明細書
【補正対象項目名】００３８
【補正方法】変更
【補正の内容】
【００３８】
図１２は、図１１に示すフォーマットのＭＡＣ ＰＤＵを受信した端末の動作を示すフローチャートである。以下、図１１及び図１２を参照して本発明を説明する。前記端末がＨＳ−ＳＣＣＨ（例えば、前記ＨＳ−ＤＳＣＨに関連する制御チャネル）を受信し、前記端末専用のＨ−ＲＮＴＩをＨＳ−ＳＣＣＨフレームから取得すると（Ｓ１１）、前記端末は、前記ＨＳ−ＳＣＣＨにマッピングされるＨＳ−ＤＳＣＨフレームから図１１のフォーマットのようなＭＡＣＰＤＵを受信する（Ｓ１２）。ここで、図１１のＭＡＣ  ＰＤＵのヘッダは、Ｃ−ＲＮＴＩ（Cell  Radio  Network  Temporary  Identifier）、Ｕ−ＲＮＴＩ、Ｈ−ＲＮＴＩなどの端末識別子を含んでいない。従って、前記端末は、前記ＭＡＣＰＤＵのヘッダに端末識別子（例えば、Ｃ−ＲＮＴＩ、Ｕ−ＲＮＴＩ、Ｈ−ＲＮＴＩ）が含まれていないと認識（判断）する（Ｓ１３）。前記端末専用のＨ−ＲＮＴＩが、前記端末自体に保存されている端末専用のＨ−ＲＮＴＩと同一である場合（Ｓ１４）、前記端末は、前記受信したＭＡＣ  ＰＤＵが前記端末のものであると判断して、対応するＭＡＣ  ＰＤＵを上位のＭＡＣ層に送信する（Ｓ１５）。前記端末専用のＨ−ＲＮＴＩが同一でない場合、前記端末は、前記受信したＭＡＣ  ＰＤＵを廃棄する（Ｓ１６）。
【手続補正４】
【補正対象書類名】図面
【補正対象項目名】全図
【補正方法】変更
【補正の内容】
【図１】
2010512707.tif 000001
【図２】
2010512707.tif 000002
【図３】
2010512707.tif 000003
【図４】
2010512707.tif 000004
【図５】
2010512707.tif 000005
【図６】
2010512707.tif 000006
【図７】
2010512707.tif 000007
【図８】
2010512707.tif 000008
【図９】
2010512707.tif 000009
【図１０】
2010512707.tif 000010
【図１１】
2010512707.tif 000011
【図１２】
2010512707.tif 000012
【図１３】
2010512707.tif 000013
【図１４】
2010512707.tif 000014
【図１５】
2010512707.tif 000015